(57)【要約】【課題】価値額の補填を効率良くおこない、もって利用者による携帯型無線通信装置を用いた円滑な精算を可能とすること。【解決手段】価値情報管理装置２の内部に携帯端末装置５を格納し、ＰＯＳシステム１からバリューの要求を受信した場合に、リーダライタ３を使用して、携帯端末装置５のメモリに記憶されたバリューを取得し、取得したバリューをＰＯＳシステム１に送信し、残りのバリューをリーダライタ３を用いて携帯端末装置５に送信し、携帯端末装置５のメモリ内のバリューを更新する。【選択図】        図１
2005182358.tif 000002
【特許請求の範囲】
【請求項１】
商品またはサービス提供時に精算をおこなう精算端末に精算制御装置を接続するとともに、所定の価値額を記憶した携帯型無線通信装置と前記精算制御装置とのローカル通信を確立して、前記携帯型無線通信装置が記憶した価値額を用いた精算処理をおこなう精算システムであって、
前記精算制御装置は、
前記精算端末から精算要求を受け付けた際に、前記携帯型無線通信装置が保持する価値額を取得する価値額取得手段と、
前記価値額取得手段により取得された価値額が前記精算端末から精算要求された精算価値額に満たない場合に、前記携帯型無線通信装置を介して所定の電子マネーサーバからの価値額の補填をおこなうよう制御する制御手段と
を備えたことを特徴とする精算システム。
【請求項２】
前記制御手段は、前記価値額取得手段により取得された価値額が前記精算端末から精算要求された精算価値額に満たない場合に、前記携帯型無線通信装置上で所定のアプリケーションを起動して前記電子マネーサーバからの価値額の補填をおこなうよう制御することを特徴とする請求項１に記載の精算システム。
【請求項３】
前記制御手段は、前記価値額取得手段により取得された価値額が前記精算端末から精算要求された精算価値額以上である場合に、前記精算端末に対して精算価値額を送信して精算依頼をおこなうとともに前記携帯型無線通信装置に記憶した価値額から前記精算価値額を減算した残価値額をもって前記携帯型無線通信装置に記憶した価値額を更新することを特徴とする請求項１または２に記載の精算システム。
【請求項４】
携帯型無線装置に情報を記憶するＩＣチップを設け、前記ＩＣチップの情報を携帯型無線装置とのローカル通信により読み書きするローカル通信リーダライタと前記ローカル通信リーダライタに接続されるサービス提供端末から成るサービス提供装置において、
サービス提供装置からの制御により携帯型無線装置は無線ネットワークに接続され、サービス提供装置は、前記無線ネットワークを介してネットワーク上に置かれるサーバからの情報を取得し、前記サーバから取得した情報ないし取得した情報を基に生成される情報をローカル通信を介して携帯型無線装置に内蔵されるＩＣチップに記憶させることを特徴とするサービス提供装置。
【請求項５】
携帯型無線装置に情報を記憶するＩＣチップを設け、前記ＩＣチップの情報を携帯型無線装置とのローカル通信により読み書きするローカル通信リーダライタと前記ローカル通信リーダライタに接続されるサービス提供端末から成るサービス提供装置において、
サービス提供装置からの制御により、携帯型無線装置は無線ネットワークに接続され、サービス提供装置は、ローカル通信を介して携帯型無線装置に内蔵されるＩＣチップの情報を取得し、前記サーバから取得した情報ないし取得した情報を基に生成される情報を携帯型無線装置が確立した無線ネットワークを介してネットワーク上のサーバへ送信することを特徴とするサービス提供装置。
【発明の詳細な説明】
【技術分野】
【０００１】
本発明は、商品またはサービス提供時に精算をおこなう精算端末に精算制御装置を接続するとともに、所定の価値額を記憶した携帯型無線通信装置と精算制御装置とのローカル通信を確立して、携帯型無線通信装置が記憶した価値額を用いた精算処理をおこなう精算システムに関し、特に、価値額の補填を効率良くおこない、もって利用者による携帯型無線通信装置を用いた円滑な精算を可能とする精算システムおよびサービス提供装置に関する。
【背景技術】
【０００２】
従来、金額または金額に相当する値（以下「価値額」と言う）を携帯電話に保持しておき、商品購入時の精算をおこなう際に携帯電話に保持した価値額を利用する精算システムが知られている。
【０００３】
たとえば、かかる精算システムをコンビニエンスストアに配設されたＰＯＳ（Point Of Sales）端末に適用した場合には、このＰＯＳ端末の近傍に精算制御装置を配設するとともに、この制御装置と携帯電話とを何らかの通信手段を介して接続し、ＰＯＳ端末が精算時に必要とする価値額（以下「精算価値額」と言う）を携帯電話が保有する価値額から減算することにより精算処理をおこなっていた。
【発明の開示】
【発明が解決しようとする課題】
【０００４】
しかしながら、かかる従来の精算システムでは、携帯電話に保持された価値額以内の精算しかできないため、たとえ電子マネーサーバに多くの電子マネーを登録していた場合であっても、携帯電話内の価値額不足を理由として商品の購入やサービスの提供を受けることができない結果となる。
【０００５】
このため、携帯電話の利用者が、円滑に携帯電話が保持する価値額を用いて商品の購入などをおこなうためには、電子マネーサーバにあらかじめ登録した価値額を定期的に携帯電話に引き落として価値額の補填を利用者自らがおこなう必要が生じる。かかる処理負担を利用者に帰属させることは、利用者の負担増を招くので、携帯電話の価値額を用いて精算をおこなう精算システム利用のインセンティブを低下させる原因になりかねない。
【０００６】
したがって、かかる価値額の補填についての利用者の処理負担を軽減し、もって携帯電話に保持された価値額を用いた精算を円滑におこなわせる精算システムをいかにして構築すべきかが重要な課題となっている。
【０００７】
本発明は、上述した従来技術による問題点（課題）を解決するためになされたものであり、携帯電話などの携帯型無線通信装置に付与した価値額を用いて精算をおこなう際に、価値額の補填を効率良くおこない、もって利用者による携帯型無線通信装置を用いた円滑な精算を可能とする精算システムおよびサービス提供装置を提供することを目的とする。
【課題を解決するための手段】
【０００８】
上記の目的を達成するために、本発明の請求項１に係る清算システムは、商品またはサービス提供時に精算をおこなう精算端末に精算制御装置を接続するとともに、所定の価値額を記憶した携帯型無線通信装置と前記精算制御装置とのローカル通信を確立して、前記携帯型無線通信装置が記憶した価値額を用いた精算処理をおこなう精算システムであって、前記精算制御装置は、前記精算端末から精算要求を受け付けた際に、前記携帯型無線通信装置が保持する価値額を取得する価値額取得手段と、前記価値額取得手段により取得された価値額が前記精算端末から精算要求された精算価値額に満たない場合に、前記携帯型無線通信装置を介して所定の電子マネーサーバからの価値額の補填をおこなうよう制御する制御手段とを備えたことを特徴とする。
【０００９】
この請求項１の発明によれば、清算システムは、清算端末から清算要求を受付けた際に、携帯型無線端末装置が保持する価値額を取得し、取得した価値額が清算端末から清算要求された清算価値額に満たない場合に、携帯型無線通信装置を介して所定の電子マネーサーバからの価値額の補填を行うように制御する。
【００１０】
また、本発明の請求項２に係る清算システムは、上記請求項１において、前記制御手段は、前記価値額取得手段により取得された価値額が前記精算端末から精算要求された精算価値額に満たない場合に、前記携帯型無線通信装置上で所定のアプリケーションを起動して前記電子マネーサーバからの価値額の補填をおこなうよう制御することを特徴とする。
【００１１】
この請求項２の発明によれば、清算システムは、携帯型無線通信装置から取得した価値額が清算端末から清算要求された清算価値額に満たない場合に、携帯型無線通信装置上で所定のアプリケーションを起動して電子サーバからの価値額の補填を行うように制御する。
【００１２】
また、本発明の請求項３に係る清算システムは、上記請求項１または２において、前記制御手段は、前記価値額取得手段により取得された価値額が前記精算端末から精算要求された精算価値額以上である場合に、前記精算端末に対して精算価値額を送信して精算依頼をおこなうとともに前記携帯型無線通信装置に記憶した価値額から前記精算価値額を減算した残価値額をもって前記携帯型無線通信装置に記憶した価値額を更新することを特徴とする。
【００１３】
この請求項３の発明によれば、清算システムは、携帯型無線通信装置から取得した価値額が清算端末から請求された請求価値額以上である場合に、清算端末に対して清算価値額を送信して清算依頼を行うとともに携帯型無線通信装置に記憶した価値額から清算価値額を減算した残価値額をもって携帯型無線通信装置に記憶した価値額を更新する。
【００１４】
また、本発明の請求項４に係るサービス提供装置は、携帯型無線装置に情報を記憶するＩＣチップを設け、前記ＩＣチップの情報を携帯型無線装置とのローカル通信により読み書きするローカル通信リーダライタと前記ローカル通信リーダライタに接続されるサービス提供端末から成るサービス提供装置において、サービス提供装置からの制御により携帯型無線装置は無線ネットワークに接続され、サービス提供装置は、前記無線ネットワークを介してネットワーク上に置かれるサーバからの情報を取得し、前記サーバから取得した情報ないし取得した情報を基に生成される情報をローカル通信を介して携帯型無線装置に内蔵されるＩＣチップに記憶させることを特徴とする。
【００１５】
この請求項４の発明によれば、サービス提供装置は、サービス提供装置からの制御により携帯型無線装置は無線ネットワークに接続され、サービス提供装置は、無線ネットワークを介してネットワーク上に置かれるサーバからの情報を取得し、サーバから取得した情報ないし取得した情報を基に生成される情報をローカル通信を介して携帯型無線装置に内蔵されるＩＣチップに記憶させる。
【００１６】
また、本発明の請求項５に係るサービス提供装置は、携帯型無線装置に情報を記憶するＩＣチップを設け、前記ＩＣチップの情報を携帯型無線装置とのローカル通信により読み書きするローカル通信リーダライタと前記ローカル通信リーダライタに接続されるサービス提供端末から成るサービス提供装置において、サービス提供装置からの制御により、携帯型無線装置は無線ネットワークに接続され、サービス提供装置は、ローカル通信を介して携帯型無線装置に内蔵されるＩＣチップの情報を取得し、前記サーバから取得した情報ないし取得した情報を基に生成される情報を携帯型無線装置が確立した無線ネットワークを介してネットワーク上のサーバへ送信することを特徴とする。
【００１７】
この請求項５の発明によれば、サービス提供装置は、サービス提供装置からの制御により、携帯型無線装置は無線ネットワークに接続され、サービス提供装置は、ローカル通信を介して携帯型無線装置に内蔵されるＩＣチップの情報を取得し、前記サーバから取得した情報ないし取得した情報を基に生成される情報を携帯型無線装置が確立した無線ネットワークを介してネットワーク上のサーバへ送信する。
【発明の効果】
【００１８】
本発明にかかる清算システムは、清算端末から清算要求を受付けた際に、携帯型無線端末装置が保持する価値額を取得し、取得した価値額が清算端末から清算要求された清算価値額に満たない場合に、携帯型無線通信装置を介して所定の電子マネーサーバからの価値額の補填を行うように制御するので、価値額の補填を効率良くおこない、もって利用者による携帯型無線通信装置を用いた円滑な精算が可能となる。
【発明を実施するための最良の形態】
【００１９】
以下に添付図面を参照して、本発明に係る清算システムおよびサービス提供装置の好適な実施例を詳細に説明する。なお、この実施例によりこの発明が限定されるものではない。
【実施例】
【００２０】
まず、本実施例に係る清算システムのシステム構成について説明する。図１は、本実施例１にかかる清算システムのシステム構成を示すブロック図である。同図に示すように、価値情報管理装置２は、ＰＯＳシステム１と、入力装置６と、表示装置７と相互に繋がっている。
【００２１】
また、価値情報管理装置２の内部に格納された携帯端末装置５は、周波数８００ＭＨｚの電波を利用して、無線基地局１０に接続し、インターネットなどのネットワーク１００を介して電子マネーサーバ９とデータ通信を行う。
【００２２】
なお、価値情報管理装置２と携帯端末装置５とは価値情報管理装置２の内部に設置されたリーダライタ３と携帯端末装置５の非接触ＩＣ通信部４を利用して無線通信を行う。また、リーダライタ３と非接触ＩＣ通信部４との無線通信で利用される電波の周波数は、１３．５６ＭＨｚである。
【００２３】
ＰＯＳシステム１は、商品を販売する際に用いられるシステムであり、現金をユーザに請求するかわりに現金と等価である必要なバリューの額を価値情報管理装置２に通知要求する。そして、価値情報管理装置２から要求した必要な額のバリューを取得した場合に、携帯端末装置５の所有者であるユーザに商品を販売可能であると判断する。
【００２４】
価値情報管理装置２は、ＰＯＳシステム１から必要なバリューの額を通知要求された場合に、リーダライタ３を利用して携帯端末装置５からバリューを取得し、取得したバリューの額から必要な額のバリューをＰＯＳシステム１に送信する。
【００２５】
そして、価値情報管理装置２は、携帯端末装置５から取得したバリューの額からＰＯＳシステム１に送信したバリューの額を除いた残りのバリューの額を、リーダライタ３を利用して、携帯端末装置５のメモリに記憶させる。
【００２６】
なお、価値情報管理装置２は、携帯端末装置５から取得したバリューの額がＰＯＳシステム１から要求されたバリューの額に対して足りない場合には、携帯端末装置５を利用して足りないバリューの額を電子マネーサーバ９から取得する。なお、電子マネーサーバ９を利用しても不足するバリューの額を補えない場合には、ＰＯＳシステム１に必要なバリューの額を送信できない旨を通知する。
【００２７】
携帯端末装置５は、内部のメモリにバリューを記憶しており、前述したように、価値情報管理装置２のリーダライタ３からバリューを要求された場合に、記憶しているバリューを価値情報管理装置２に送信する。
【００２８】
また、携帯端末装置５は、リーダライタ３によって、メモリに記憶されたバリューの額を残りのバリューの額に更新される。なお、価値情報管理装置２から電子マネーサーバ９から所定量の額のバリューに対する取得通知を受けた場合には、電子マネーサーバ９にアクセスし、所定量の額のバリューを取得する。なお、ユーザは予め、一定量の額のバリューを電子マネーサーバ９に振り込んでおくこととなる。
【００２９】
入力装置６は、価値情報管理装置２に所定の情報を入力する装置であり、表示装置７は、価値情報管理装置２がＰＯＳシステム１に送信したバリューの情報や、不足するバリューの額などを表示する装置である。
【００３０】
次に、図１に示した価値情報管理装置２および携帯端末装置５の構成について説明する。図２は、図１に示した価値情報管理装置２および形態端末装置５の構成を示す機能ブロック図である。まず、価値情報管理装置２の構成から説明する。同図に示すように、価値情報管理装置２は、有線インターフェース部２０と、バリュー管理部２１と、メモリ２２と、リーダライタ３とを有する。
【００３１】
有線インターフェース部２０は、所定の通信プロトコルを用いてＰＯＳシステム１とデータ通信を行う処理部である。
【００３２】
バリュー管理部２１は、バリュー要求応答部２１ａと、バリュー額比較部２１ｂと、バリュー額演算部２１ｃと、現バリュー通知部２１ｄと、入出力処理部２１ｅとを有する。バリュー要求応答部２１ａは、有線インターフェース部２０を介してＰＯＳシステム１から必要なバリューの額の通知要求を受信した際に、受信した必要なバリューの額を必要バリュー額情報２２ａとしてメモリ２２に記憶させる。
【００３３】
また、バリュー要求応答部２１ａは、リーダライタ３を利用して携帯端末装置５からバリューを取得する。そして、バリュー額比較部２１ｂの判断によって携帯端末装置５から取得したバリューの額から必要な額のバリューをＰＯＳシステムに送信する。
【００３４】
バリュー額比較部２１ｂは、携帯端末装置５から取得したバリューの額と、必要バリュー額情報２２ａとを比較する。携帯端末装置５から取得したバリューの額が、必要なバリューの額以上の場合には、携帯端末装置５から取得したバリューの額からＰＯＳシステム１に必要な額のバリューを送信が可能であると判断する。
【００３５】
一方、携帯端末装置５から取得したバリューの額が、必要なバリューの額未満の場合には、携帯端末装置５に記憶されたバリューが足らないと判断する。
【００３６】
バリュー額演算部２１ｃは、携帯端末装置５から取得したバリューの額から必要なバリューの額を除算する。除算した結果がプラスの場合は、除算した結果を現バリュー通知部２１ｄに通知する。一方、除算した結果がマイナスの場合には、除算した結果を入出力処理部２１ｅに送信する。
【００３７】
現バリュー通知部２１ｂは、バリュー額演算部２１ｃから除算結果を取得し、リーダライタ３を利用して携帯端末５のメモリに記憶されたバリューを更新させる。
【００３８】
入出力処理部２２は、バリュー額演算部２１ｃからマイナスの除算結果を受信した場合に、図３に示すような情報入力画面を表示させる。そして、入力装置６から、電子マネーサーバ９に通知要求するバリューの額の入力を受付け、ＯＫをクリックされると入力された電子マネーサーバ９に通知要求するバリューの額を携帯端末装置５に通知する。
【００３９】
次に、携帯端末装置５の構成について説明する。図２に示すように、携帯端末装置５は、非接触ＩＣ通信部４と、ＪＡＶＡ（登録商標）仮想マシン部３０と、メモリ３１と、通信部３２と、アンテナ３３とを有する。
【００４０】
ＪＡＶＡ（登録商標）仮想マシン部３０は、電子マネーサーバ９からダウンロードしたＪＡＶＡ（登録商標）アプリケーションプログラム３１ａを実行させ、所定の処理をおこなう。ＪＡＶＡ（登録商標）仮想マシン部３０は、バリュー送信部３０ａと、バリュー更新部３０ｂと、バリュー取得部３０ｃとを有する。
【００４１】
バリュー送信部３０ａは、リーダライタ３の指示により、メモリ３１に記憶されたバリュー３１ｂを非接触ＩＣ通信部４を介して価値情報管理装置２に送信する。
【００４２】
バリュー更新部３０ｂは、リーダライタ３の指示により、メモリ３１に記憶されたバリュー３１ｂの額をリーダライタ３から送信される残りのバリューの額に更新する。
【００４３】
バリュー取得部３０ｃは、価値情報管理装置２から、ユーザが入力した所定量のバリューの額の通知要求を受信し、電子マネーサーバ９から所定量のバリューを取得する。なお、バリュー取得部３０ｃは、所定量のバリューを電子マネーサーバ９から取得する際に、メモリ３１に記憶されたユーザを識別するためのユーザ識別情報３１ｃを電子マネーサーバ９に通知する。
【００４４】
なお、バリュー取得部３０ｃは、電子マネーサーバ９からユーザが入力した所定量の額のバリューを取得できない場合には、価値情報管理装置２に、バリューの額が足らない旨を送信する。
【００４５】
次に、価値情報管理装置２が、ＰＯＳシステム１からバリューを要求された場合の処理について説明する。図４〜７は、価値情報管理装置２が、ＰＯＳシステム１からバリューを要求された場合の処理手順を示すフローチャートである。
【００４６】
同図に示すように、ＰＯＳシステム１が、価値情報管理装置２に必要なバリューの額を通知要求し(ステップＳ１０１)、価値情報管理装置２が、必要なバリューの額の通知要求を受信し(ステップＳ１０２)、携帯端末装置５にバリュー要求を行う(ステップＳ１０３)。
【００４７】
そして、携帯端末装置５は、価値情報管理装置２からバリュー要求を受信し(ステップＳ１０４)、リーダライタ３の指示によりメモリ３１からバリュー３１ｂを読み出し(ステップＳ１０５)、読み出したバリューを価値情報管理装置２に送信する(ステップＳ１０６)。
【００４８】
そして、価値情報管理装置２は、携帯端末装置５からバリューを受信し(ステップＳ１０７)、必要なバリューの額と携帯端末装置５から受信したバリューの額とを比較する(ステップＳ１０８)。
【００４９】
携帯端末装置５から受信したバリューの額が、必要なバリューの額以上の場合は(ステップＳ１０９，Ｙｅｓ)、必要な額のバリューをＰＯＳシステム１に送信し(ステップＳ１１０)、残りのバリューの額を算出して残りのバリューの額を携帯端末装置５に通知し(ステップＳ１１１)、必要なバリューをＰＯＳシステム１に送信した旨を表示装置７に表示させる(ステップＳ１１２)。
【００５０】
一方、携帯端末装置５から受信したバリューの額が、必要なバリューの額未満の場合は、不足するバリューの額を算出し(ステップＳ１１３)、不足するバリューの額と電子マネーサーバ９から取得するバリューの額の入力画面を表示させる(ステップＳ１１４)。
【００５１】
そして、電子マネーサーバ９から取得するバリューの額を携帯端末装置５に通知要求する(ステップＳ１１５)。携帯端末装置５は、価値情報管理装置２からのバリューに関する応答を受信し(ステップＳ１１６)、電子マネーサーバ９にバリューを要求しない場合には(ステップＳ１１７，Ｎｏ)、メモリ３１のバリュー３１ｂの額を価値情報管理装置２から受信した残りのバリューの額に更新する（ステップＳ１１８）。
【００５２】
一方、電子マネーサーバ９にバリューを要求する場合には(ステップＳ１１７，Ｙｅｓ)、ユーザ識別情報３１ｃを取得し(ステップＳ１１９)、ユーザの識別情報と、要求するバリューの額との情報を電子マネーサーバ９に送信する(ステップＳ１２０)。
【００５３】
そして、電子マネーサーバ９は、ユーザ識別情報と、要求されるバリューの額との情報を受信し(ステップＳ１２１)、ユーザ識別情報に対応するバリューの額を検索し(ステップＳ１２２)、ユーザ識別情報に対応するバリューの額と要求されるバリューの額とを比較する(ステップＳ１２３)。
【００５４】
ユーザ識別情報に対応するバリューの額が、要求されるバリューの額未満の場合は(ステップＳ１２４，Ｎｏ)、エラーを携帯端末装置５に送信する(ステップＳ１２５)。一方、ユーザ識別情報に対応するバリューの額が、要求されるバリューの額以上の場合は(ステップＳ１２４，Ｙｅｓ)、要求された額のバリューを携帯端末装置５に送信し(ステップＳ１２６)、ユーザ識別情報に対応するバリューの額から要求されたバリューの額を除算し(ステップＳ１２７)、除算した残りのバリューの額を新たにユーザ識別情報に対応するバリューの額とする(ステップＳ１２８)。
【００５５】
ところで、携帯端末装置５は、電子マネーサーバ９からの応答を受信し(ステップＳ１２９)、エラーならば(ステップＳ１３０，Ｙｅｓ)、バリューの額が足りない旨を価値情報管理装置２に送信する(ステップＳ１３１)。一方、エラーでないならば(ステップＳ１３０，Ｎｏ)、電子マネーサーバ９から取得した額のバリューとメモリのバリューとを加算し、加算した額のバリューを価値情報管理装置に送信する(ステップＳ１３２)。
【００５６】
そして、価値情報管理装置２は、携帯端末装置５からの応答を受信し(ステップＳ１３３)、バリューの額が足りない場合には(ステップＳ１３４，Ｎｏ)、必要なバリューの額を送信できない旨をＰＯＳシステム１に送信する(ステップＳ１３５)。
【００５７】
そして、ＰＯＳシステム１は、価値情報管理装置２からの応答を受信し(ステップＳ１３６)、必要な額のバリューを取得したならば(ステップＳ１３７，Ｙｅｓ)、商品の販売が可能と判断し(ステップＳ１３９)、必要な額のバリューを取得しなかった場合には(ステップＳ１３７，Ｎｏ)、商品の販売が不可能であると判断する(ステップＳ１３８)。
【００５８】
ところで、価値情報管理装置２は、バリューの額が足りている場合には(ステップＳ１３４，Ｙｅｓ)、必要な額のバリューをＰＯＳシステム１に送信し(ステップＳ１４０)、残りのバリューの額を算出し（ステップＳ１４１）、残りのバリューの額を携帯端末装置５に通知する（ステップＳ１４２）。
【００５９】
そして、携帯端末装置５は、残りのバリューの額を受信し（ステップＳ１４３）、リーダライタ３の指示によりメモリ３１のバリュー３１ｂの額を価値情報管理装置２から受信した残りのバリューの額に更新する（ステップＳ１４４）。
【００６０】
上述してきたように、本実施例では、バリュー要求応答部２１ａが、ＰＯＳシステム１からバリューの要求を受信した場合に、リーダライタ３を使用して、メモリ３１に記憶されたバリュー３１ｂを受信し、受信したバリューをＰＯＳシステム１に送信するので、ＰＯＳシステム１に迅速にバリューを送信することができる。
【００６１】
また、携帯端末装置５のメモリ３１に記憶されたバリュー３１ｂの額がＰＯＳシステム１から要求されたバリューの額より少ないとバリュー額比較部２１ｂが判断した場合に、ユーザが所望するバリューの額を入出力処理部２１ｅが携帯端末装置５に通知要求し、携帯端末装置５が電子マネーサーバ９から所望するバリューの額を取得し、バリュー要求応答部２１ａに送信するので、たとえ携帯端末装置５のバリュー３１ｂの額が足りなくても、電子マネーサーバ９に必要なバリューの額があれば商品を購入することができる。
【００６２】
ところで、本実施例では、電子マネーサーバにアクセスする場合に、携帯端末装置が携帯電話と同様に、無線基地局を利用していたが、例えば、ホットスポットを利用して、電子マネーサーバにアクセスするように構成してもよい。
【００６３】
また、本実施例では、携帯端末装置のメモリにバリューを記憶させ、価値情報管理装置が、携帯端末装置からバリューを取得していたが、携帯端末装置にバリューを記憶させず、常に電子マネーサーバからバリューを取得してもよい。また、電子マネーサーバから所定量のバリューを取得するさいユーザが入力装置を使用して、入力したが、ユーザを介さず価値情報管理装置が自動で行ってもよい。
【００６４】
また、本実施例では、価値情報管理装置と携帯端末装置との間でリーダライタ３および非接触ＩＣ通信部を利用して、無線通信を行ったが、これに限定されるものではなく、例えば、赤外線通信やＢｌｕｅｔｏｏｔｈなどの無線通信手段を利用してもよい。
【００６５】
また、価値情報管理装置と携帯端末装置との通信は、無線通信に限られるものではなく、ＵＳＢやＩＥＥＥ１３９４などを利用し、有線で互いに通信を行っても良い。
【００６６】
また、本実施例では、価値情報管理装置をＰＯＳシステム１に対して利用する場合を示したが、コピー機や画像印刷装置などの複合機にも利用できるように構成しても良い。
【００６７】
すなわち、携帯端末装置は、印刷可能な枚数を記憶し、価値情報管理装置は、複合機から印刷可能な枚数を要求された場合に、携帯端末装置から印刷可能な枚数を取得して、取得した印刷可能な枚数を複合機に送信する。
【００６８】
さらに、携帯端末装置に画像データなどを記憶させ、価値情報管理装置が、画像データを読み取り、読み取った画像データを、複合機に送信し、画像を印刷するように構成してもよい。
【００６９】
また、携帯端末装置に所望の画像データがない場合には、ネットワークに接続し、画像データを管理するデータベースサーバから所望する画像を取得し、取得した画像データを同様に複合機に送信することで、画像を印刷させることができる。
【産業上の利用可能性】
【００７０】
以上のように、本発明にかかる価値情報管理装置は、現金を直接使用しない商品販売システムに有用であり、特に、携帯端末装置に記憶された価値額を利用するのに適している。
【図面の簡単な説明】
【００７１】
【図１】本実施例にかかる清算システムのシステム構成を示すブロック図である。
【図２】図１に示した価値情報管理装置および形態端末装置の構成を示す機能ブロック図である。
【図３】情報入力画面を示す図である。
【図４】価値情報管理装置が、ＰＯＳシステムからバリューを要求された場合の処理手順を示すフローチャート（１）である。
【図５】価値情報管理装置が、ＰＯＳシステムからバリューを要求された場合の処理手順を示すフローチャート（２）である。
【図６】価値情報管理装置が、ＰＯＳシステムからバリューを要求された場合の処理手順を示すフローチャート（３）である。
【図７】価値情報管理装置が、ＰＯＳシステムからバリューを要求された場合の処理手順を示すフローチャート（４）である。
【符号の説明】
【００７２】
１      ＰＯＳシステム
２      価値情報管理装置
３      リーダライタ
４      非接触ＩＣ通信部
５      携帯端末装置
６      入力装置
７      表示装置
８      無線基地局
９      電子マネーサーバ
２０    有線インターフェース部
２１    バリュー管理部
２１ａ  バリュー要求応答部
２１ｂ  バリュー額比較部
２１ｃ  バリュー額演算部
２１ｄ  現バリュー通知部
２１ｅ  入出力処理部
２２，３１  メモリ
３０    ＪＡＶＡ（登録商標）仮想マシン部
３０ａ  バリュー送信部
３０ｂ  バリュー更新部
３０ｃ  バリュー取得部
３１ａ  ＪＡＶＡ（登録商標）アプリケーションプログラム
３１ｂ  バリュー
３１ｃ  ユーザ識別情報
３２    通信部
３３    アンテナ
【図１】
2005182358.tif 000003
【図２】
2005182358.tif 000004
【図３】
2005182358.tif 000005
【図４】
2005182358.tif 000006
【図５】
2005182358.tif 000007
【図６】
2005182358.tif 000008
【図７】
2005182358.tif 000009